【事件の表示】
　特願２０１３−２２５５７０号「紙葉搬送装置」拒絶査定不服審判事件〔平成２７年５月７日出願公開、特開２０１５−８７９３２号、請求項の数（１０）〕について、次のとおり審決する。
【結　論】
　原査定を取り消す。
　本願の発明は、特許すべきものとする。
【理　由】
第１　手続の経緯
　本願は、平成２５年１０月３０日の出願であって、平成２９年１月２６日付けで拒絶理由が通知され、同年３月３１日に意見書及び手続補正書が提出され、同年９月５日付けで拒絶査定（以下、「原査定」という。）がされ、同年１２月１日に拒絶査定不服審判が請求されると同時に手続補正書が提出されたものである。
第２　原査定の概要
　原査定の概要は次のとおりである。
　本願の請求項１及び６〜８に係る発明は、その出願前に日本国内又は外国において頒布された以下の刊行物１及び２に記載された発明に基いて、その出願前にその発明の属する技術の分野における通常の知識を有する者（以下、「当業者」という。）が容易に発明をすることができたものであるから、特許法第２９条第２項の規定により特許を受けることができない。
　本願の請求項２〜５及び９〜１０に係る発明は、その出願前に日本国内又は外国において頒布された以下の刊行物１〜３に記載された発明に基いて、その出願前に当業者が容易に発明をすることができたものであるから、特許法第２９条第２項の規定により特許を受けることができない。
　［刊行物］
１．特開２０１２−３８２４１号公報
２．米国特許出願公開第２００９／０２３０６１６号明細書
３．特開２０１３−４３７２２号公報
　以下、それぞれ、「引用文献１〜３」という。
第３　本願発明
　本願の請求項１〜１０に係る発明（以下、それぞれ、「本願発明１〜１０」という。）は、平成２９年１２月１日付けの手続補正により補正された特許請求の範囲の請求項１〜１０に記載された次の事項により特定されるとおりのものである。
「　【請求項１】
　紙葉の表面が搬送ガイド面に沿った状態で当該紙葉の搬送が行われる２つの主搬送部を備えて搬送路が構成され、前記２つの主搬送部は、前記搬送ガイド面が互いに異なる平面上に位置したものであり、前記主搬送部の一方から連絡搬送部を介して前記主搬送部の他方に紙葉を搬送する紙葉搬送装置において、
　前記２つの主搬送部は、一方が他方よりも低い位置にあり、
　前記連絡搬送部は、
　前記搬送ガイド面が紙葉の搬送方向に沿って漸次湾曲するように構成した湾曲部を有する湾曲通路構成部と、
　前記湾曲通路構成部の一方の端部に接続され、前記搬送ガイド面が紙葉の搬送方向に沿って漸次ねじれるように構成した第１のねじれ通路構成部と、
　前記湾曲通路構成部の他方の端部に接続され、前記搬送ガイド面が紙葉の搬送方向に沿って漸次ねじれるように構成した第２のねじれ通路構成部と
　を備えたことを特徴とする紙葉搬送装置。
　　【請求項２】
　前記第１のねじれ通路構成部及び前記第２のねじれ通路構成部は、紙葉が通過する搬送空間を有した複数の単位通路構成体を備え、それぞれの搬送空間が互いに連通し、かつ搬送空間を通過する共通の軸線を中心として互いに回転可能となるように複数の単位通路構成体を連結することによって構成したことを特徴とする請求項１に記載の紙葉搬送装置。
　　【請求項３】
　複数の単位通路構成体は、搬送空間を通過する共通の軸線を中心とした円弧状を成す回転ガイド面を有し、前記回転ガイド面をガイドとして相互に回転可能となるように連結したことを特徴とする請求項２に記載の紙葉搬送装置。 
　　【請求項４】
　複数の単位通路構成体は、互いに共通となる位置に係合連結片を有し、弾性を有する一連の連結部材によってこれら係合連結片を相互に連係したことを特徴とする請求項３に記載の紙葉搬送装置。 
　　【請求項５】
　単位通路構成体には、それぞれ前記係合連結片を複数箇所に形成し、
　対応する位置の係合連結片を個別の連結部材によって互いに連係したことを特徴とする請求項４に記載の紙葉搬送装置。
　　【請求項６】
　前記湾曲通路構成部は、搬送ガイド面が単一の平面上に延在する搬送基部の両端部にそれぞれ湾曲部を有したことを特徴とする請求項１に記載の紙葉搬送装置。 
　　【請求項７】
　２つの湾曲部は、前記搬送基部の搬送ガイド面に対して同一の方向に湾曲することを特徴とする請求項６に記載の紙葉搬送装置。 
　　【請求項８】
　前記搬送路の内部には、搬送ガイド面に沿って移動することにより搬送ガイド面との間に紙葉を挟んだ状態で当該紙葉の搬送を行う搬送走行体を配設したことを特徴とする請求項１に記載の紙葉搬送装置。
　　【請求項９】
　前記搬送走行体は、複数の搬送コマを紙葉の搬送方向に沿って鎖状に連結することにより構成したものであり、
　搬送コマの相互間は、前記湾曲部の搬送ガイド面に沿って変位可能、かつ前記第１のねじれ通路構成部及び前記第２のねじれ通路構成部の搬送ガイド面に沿って変位可能となるように互いに傾動可能に連結したことを特徴とする請求項８に記載の紙葉搬送装置。 
　　【請求項１０】
　前記搬送路には、搬送ガイド面に沿ってガイドレールを設け、
　前記搬送走行体の搬送コマには、前記ガイドレールをガイドとして搬送方向に移動するようにガイド係合部を設けたことを特徴とする請求項９に記載の紙葉搬送装置。」
第４　引用文献に記載された事項及び発明
１　引用文献１について
（１）引用文献１に記載された事項
　引用文献１には、図とともに、以下の事項が記載されている（なお、下線は当審で付加した。以下、同様である。）。
（１ａ）
「【０００６】
　本発明は、上記の問題を解決しようとするものであり、外部から受け入れた紙葉類の折り目を除去・軽減してから搬送路へ送り込むことのできる紙葉類取込装置を提供することを目的としている。」
（１ｂ）
「【００２７】
　
図１は、本発明の実施の形態に係る紙幣取込装置２４が取り付けられた紙葉類搬送装置１０の概略構成を示す平面図、図２は紙葉類搬送装置１０の正面図である。
・・・
【００２９】
　本例では、図２に示すように、遊技機島２の一方の端部に、空気流発生装置１４と金庫５が配置されており、
紙葉類搬送装置１０の搬送管１２は、空気流発生装置１４が設置された側の遊技機島２の端部にその始端部と終端部を備え、始端部から遊技機島２の他方の端部まで延設された往路１２ａと、他方の端部でＵ字状に折り返すターン部１２ｂと、ターン部１２ｂで折り返した後、終端部まで延設された復路１２ｃで構成され
・・・
【００３２】
　
搬送管１２の始端部には、搬送補助体１６を搬送管１２内へ送り出す搬送補助体挿入装置２１が設けてある
搬送管１２の復路１２ｃの途中には、各遊技球貸機３に対応する位置に、遊技球貸機３の背面から排出された紙幣６を搬送管１２内へ取り込む紙幣取込装置２４が配設され
紙幣取込装置２４は、遊技機島２の表面側に配置された遊技球貸機３からの紙幣６と、遊技機島２の裏面側に配置された遊技球貸機３からの紙幣６とを取り込むべく、搬送管１２の側壁の両側に設けられ
【００３３】
　
紙幣取込装置２４から搬送管１２の復路１２ｃ内に取り込まれた紙幣６は、その紙面が搬送管１２の延設方向に沿う姿勢で取り込み完了位置に滞在する
搬送補助体挿入装置２１から搬送管１２内へ送り込まれた搬送補助体１６は、空気流発生装置１４が発生させた空気流の作用を受けて往路１２ａ内をターン部１２ｂに向けて移動し、ターン部１２ｂでＵターンした後、復路１２ｃ内を終端部に向けてさらに移動する
このとき、
搬送管１２内の紙幣６を、該紙幣６の後端側から搬送補助体１６が押し動かすことで、搬送管１２の終端部へ向けて
紙幣６が搬送される
（１ｃ）
「【００５４】
　さらに、側壁部３２に設けた複数本のリブ３４の存在により、紙幣６が側壁部３２にぴったりと張り付くことが防止される。すなわち、紙幣６と側壁部３２との接触面積が少なくなって摩擦が軽減され、静電気の発生等を抑えることができる。また、紙幣６が側壁部３２に張り付いた場合でも、その紙幣６は複数本のリブ３４の先端部分で支持されるため、リブ３４の周辺やリブ３４とリブ３４の間では側壁部３２と紙幣６との間に隙間が確保され、張り付き力が小さく抑えられる。
【００５５】
　また、側壁部３２から内側に突出する複数のリブ３４は、搬送管１２の幅方向（Ｘ方向）における実質的な紙幣６の通路幅Ｗを、基準平面部間距離Ｄｘより狭くする役割を果たす。これにより、紙幣６が搬送管１２内で横倒れし難くなり、紙幣６の姿勢がＹ方向に沿うように保持される。特に、リブ３４を複数設けることで、紙幣６の倒れを適切に防ぐと共に、紙幣６の側壁部３２への張り付きも効果的に防止される。なお、リブ３４を設けた分だけＤｘを大きくすることができ、これによって搬送管１２の断面積を大きくして搬送補助体１６が空気流の作用を受けやすくなっている。」
（１ｄ）
　引用文献１の図１〜８は、以下のとおりである。
（２）引用文献１に記載された発明
　摘記（１ａ）〜（１ｄ）から、引用文献１には、次の発明（以下、「引用発明」という。）が記載されていると認められる。
　［引用発明］
「紙葉類搬送装置１０の搬送管１２は、空気流発生装置１４が設置された側の遊技機島２の端部にその始端部と終端部を備え、始端部から遊技機島２の他方の端部まで延設された往路１２ａと、他方の端部でＵ字状に折り返すターン部１２ｂと、ターン部１２ｂで折り返した後、終端部まで延設された復路１２ｃで構成され、
　搬送管１２の始端部には、搬送補助体１６を搬送管１２内へ送り出す搬送補助体挿入装置２１が設けてあり、
　搬送管１２の復路１２ｃの途中には、各遊技球貸機３に対応する位置に、遊技球貸機３の背面から排出された紙幣６を搬送管１２内へ取り込む紙幣取込装置２４が配設され、
　紙幣取込装置２４は、遊技機島２の表面側に配置された遊技球貸機３からの紙幣６と、遊技機島２の裏面側に配置された遊技球貸機３からの紙幣６とを取り込むべく、搬送管１２の側壁の両側に設けられ、
　紙幣取込装置２４から搬送管１２の復路１２ｃ内に取り込まれた紙幣６は、その紙面が搬送管１２の延設方向に沿う姿勢で取り込み完了位置に滞在し、
　搬送補助体挿入装置２１から搬送管１２内へ送り込まれた搬送補助体１６は、空気流発生装置１４が発生させた空気流の作用を受けて往路１２ａ内をターン部１２ｂに向けて移動し、ターン部１２ｂでＵターンした後、復路１２ｃ内を終端部に向けてさらに移動し、このとき、搬送管１２内の紙幣６を、該紙幣６の後端側から搬送補助体１６が押し動かすことで、搬送管１２の終端部へ向けて紙幣６が搬送される、紙葉類搬送装置１０。」
２　引用文献２について
　引用文献２には、図とともに、以下の事項が記載されている（なお、和訳は、当審が作成した。）。
（２ａ）ABSTRACT
「・・・In an arrangement comprising two such obliquely oriented diverting elements (1, 2) and a diverting roller (3) in between, the sheet material (4) transported along a transport path can be turned over by 180°without any interruption of transport, using up little space.・・・」
　［和訳］
「・・・２つのこのような斜め方向転換要素(1, 2)とそれらの間に配置された転向ローラ(3)とを備える構成では、
搬送経路に沿って搬送されるシート材料(4)は、僅かな空間を使用して、輸送を中断することなく、180°反転させることができる。
（２ｂ）［0031］
「・・・The sheet material 4 to be turned over in the shown exemplary embodiment meets the inner surface of the first oblique diverting element 1 and is passed on in such a manner that after passing the centrally arranged diverting roller 3 it meets the inner surface of the second obliquely arranged diverting element 2. Thereby the transport planes upstream and downstream from the diverting device lie in different planes parallel to each other.・・・ 」
　［和訳］
「・・・図示の実施例で反転されるシート材料4は、第1の斜め方向転換要素1の内面と接すると共に、中央に配置された転向ローラ3を通過した後、第2の斜め方向転換要素2の内側表面に接触するように通過される。これにより、
分岐装置の上流側及び下流側の搬送平面は互いに平行な異なる平面内に位置する。
３　引用文献３について
　引用文献３には、図とともに、以下の事項が記載されている。
（３ａ）
「【００１８】
 図２は、略Ｓ字上に配列される遊技機７５列に沿ってその背面側に延設される湾曲形状の紙幣搬送路３の構成を示す図であって、（ａ）は要部斜視図、（ｂ）はその湾曲形状の紙幣搬送路３を構成する短形の湾曲通路ブロック２１を示す斜視図、（ｃ）はこの紙幣搬送路３の通路断面を示す断面図である。図に示すように、この紙幣搬送路３の内部には、後述の搬送レール１２，１３に案内されて一方向に循環し、紙幣を紙幣収納部７６に向けて搬送する搬送部材３５を備えた無端状の搬送チェーン５が配設されている。また、この
紙幣搬送路３は、複数の湾曲通路ブロック２１を連結することにより、湾曲状に形成される。
【００１９】
 図３は、湾曲状の紙幣搬送路３を構成する湾曲通路ブロック２１の構造を示す図であって、（ａ）はその全体斜視図、（ｂ）はこの湾曲通路ブロック２１を構成するメインフレームの形態を示す斜視図、（ｃ）は、湾曲通路ブロック２１を連結する場合の搬送レール１２の連結状態を示す平面図である。この湾曲通路ブロック２１は、紙幣の搬送方向に沿って短形に形成されるものであって、搬送チェーン５を案内する搬送レール１２，１３を備えたメインフレーム（フレーム部）１１と、その搬送レール１２，１３に沿ってメインフレーム１１の両側に装着される側板部１７，１８と、メインフレーム１１の上方にこれと平行に設けられ、メインフレーム１１の両側に装着される側板部１７，１８に挟まれてその上部を装着する上部フレーム１５等を備えて構成されている。なお、上部フレーム１５の上面には、これを取付具等を介して遊技島８０の基台等に取り付けるためのネジ穴部１６が設けられている。
【００２０】
 図３（ｂ）に示すようにメインフレーム１１は、その上部に搬送チェーン５を案内する搬送レール１２が設けられている。この搬送レール１２は、断面形状が上部を開放した略Ｃ字状であって、直線状に短く形成されている。また、この搬送レール１２の下方には、上部の搬送レール１２と上下方向に対称に搬送レール１３が同様に設けられている。また、この下方の搬送レール１３の下方側にはこれと対向するように樋状のカバー部１４が形成されている。この樋状のカバー部１４は、搬送チェーン５に備えられて、紙幣を搬送する搬送部材３５を外側から覆うものである。また、このメインフレーム１１に設けられる上下の搬送レール１２，１３の長さ方向の両端側には、その端部から突出して連結部２５〜２８が設けられている。この連結部２５，２７及び連結部２６，２８は、上下方向にそれぞれ軸心が一致するように設けられ、この軸心に装着される連結軸３０を介して複数のメインフレーム１１を自在に搬送レール１２，１３の幅方向に揺動可能に連結するものである。また、この連結部２５〜２８は、搬送レール１２，１３を案内される搬送チェーン５がその幅方向に湾曲可能な曲率に沿って搬送レール１２，１３を連結可能なように、搬送レールの両端から突出して設けられている。すなわち、搬送レール１２，１３の両端から突出して連結部２５〜２８を設けることにより、連結される搬送レール１２，１３の端部間に適宜な隙間を設け、その隙間によって搬送レール１２（１３）を図３（ｃ）に示すように所定の角度に傾けて連結することで、それらを
搬送チェーン５が幅方向に湾曲可能な曲率に沿って連結するものである。
【００２１】
 なお、上部フレーム１５の長さ方向の両端側には、その端部から突出して連結部２３、２４が設けられている。これらの連結部２３，２４は、それぞれが連結部２５，２７及び連結部２６，２８と上下方向に軸心が一致するように設けられ、この
軸心に装着される連結軸３０を介して複数の湾曲通路ブロック２１を自在に搬送レール１２、１３の幅方向に揺動可能に連結するものである。
【００２２】
 また、メインフレーム１１の両側に装着される側板部１７，１８は、図３（ａ）に示すように、その内側に搬送レール１２，１３に沿って延設される複数の突条部１９，２０が設けられている。この突条部１９，２０は、搬送レール１２，１３に案内される搬送チェーン３の搬送部材３５に設けられる後述の作用部３６と隙間を介して噛み合うように配置されている（図２（ｃ）参照）。すなわち、この側板部１７，１８の内側には、紙幣を搬送する紙幣通路３１が形成され、この紙幣通路３１を搬送される紙幣１０は、側板部１７，１８の突条部１９，２０により、搬送チェーン５の搬送部材３５に適宜に押圧され、紙幣通路３１に沿って安定に搬送される。」
第５　対比・判断
１　本願発明１について
（１）対比
　本願発明１と引用発明とを対比する。
ア
　引用発明では、「紙幣取込装置２４から搬送管１２の復路１２ｃ内に取り込まれた紙幣６は、その紙面が搬送管１２の延設方向に沿う姿勢で取り込み完了位置に滞在し」、「搬送管１２内の紙幣６を、該紙幣６の後端側から搬送補助体１６が押し動かすことで、搬送管１２の終端部へ向けて紙幣６が搬送され」ることから（図３及び図４も参照）、引用発明の「搬送管１２の復路１２」は、「紙幣６」の表面が「搬送管１２の復路１２ｃ内」の内面に沿った状態で、当該「紙幣６」の搬送が行われる、主搬送部を構成していることが明らかである（摘記（１ｃ）の段落【００５４】及び【００５５】も参照）。
イ
　引用発明の「紙幣６」は、本願発明１の「紙葉」に相当する。
　引用発明の「搬送管１２」は、本願発明１の「搬送路」に相当する。
　引用発明の「搬送管１２の復路１２ｃ」は、本願発明１の「主搬送路」に相当する。
ウ
　上記ア及びイを踏まえると、引用発明の「紙葉類搬送装置１０の搬送管１２は、空気流発生装置１４が設置された側の遊技機島２の端部にその始端部と終端部を備え、始端部から遊技機島２の他方の端部まで延設された往路１２ａと、他方の端部でＵ字状に折り返すターン部１２ｂと、ターン部１２ｂで折り返した後、終端部まで延設された復路１２ｃで構成され、搬送管１２の始端部には、搬送補助体１６を搬送管１２内へ送り出す搬送補助体挿入装置２１が設けてあり、搬送管１２の復路１２ｃの途中には、各遊技球貸機３に対応する位置に、遊技球貸機３の背面から排出された紙幣６を搬送管１２内へ取り込む紙幣取込装置２４が配設され」、「紙幣取込装置２４から搬送管１２の復路１２ｃ内に取り込まれた紙幣６は、その紙面が搬送管１２の延設方向に沿う姿勢で取り込み完了位置に滞在し、搬送補助体挿入装置２１から搬送管１２内へ送り込まれた搬送補助体１６は、空気流発生装置１４が発生させた空気流の作用を受けて往路１２ａ内をターン部１２ｂに向けて移動し、ターン部１２ｂでＵターンした後、復路１２ｃ内を終端部に向けてさらに移動し、このとき、搬送管１２内の紙幣６を、該紙幣６の後端側から搬送補助体１６が押し動かすことで、搬送管１２の終端部へ向けて紙幣６が搬送される」構成と、本願発明１の「紙葉の表面が搬送ガイド面に沿った状態で当該紙葉の搬送が行われる２つの主搬送部を備えて搬送路が構成され」る構成とは、「紙葉の表面が搬送ガイド面に沿った状態で当該紙葉の搬送が行われる主搬送部を備えて搬送路が構成される」構成の限りで共通している。
エ
　引用発明の「紙葉類搬送装置１０」は、本願発明１の「紙葉搬送装置」に相当する。
　以上を総合すると、本願発明１と引用発明との一致点及び相違点は、次のとおりである。
＜一致点＞
「紙葉の表面が搬送ガイド面に沿った状態で当該紙葉の搬送が行われる主搬送部を備えて搬送路が構成される紙葉搬送装置。」
＜相違点＞
　本願発明１は、主搬送部が、「２つの主搬送部」であり、「前記２つの主搬送部は、前記搬送ガイド面が互いに異なる平面上に位置したものであり」、
　紙葉搬送装置が、「前記主搬送部の一方から連絡搬送部を介して前記主搬送部の他方に紙葉を搬送する紙葉搬送装置」であり、
「前記２つの主搬送部は、一方が他方よりも低い位置にあり、
　前記連絡搬送部は、
　前記搬送ガイド面が紙葉の搬送方向に沿って漸次湾曲するように構成した湾曲部を有する湾曲通路構成部と、
　前記湾曲通路構成部の一方の端部に接続され、前記搬送ガイド面が紙葉の搬送方向に沿って漸次ねじれるように構成した第１のねじれ通路構成部と、
　前記湾曲通路構成部の他方の端部に接続され、前記搬送ガイド面が紙葉の搬送方向に沿って漸次ねじれるように構成した第２のねじれ通路構成部と
　を備えた」構成であるのに対して、
　引用発明は、そのような構成を備えていない点。
（２）判断
　以下、相違点について検討する。
ア
　上記相違点に係る本願発明１の構成（特に、当該構成の「２つの主搬送部」、「前記２つの主搬送部は、一方が他方よりも低い位置にあり、」及び「湾曲通路構成部の一方の端部に接続され、搬送ガイド面が紙葉の搬送方向に沿って漸次ねじれるように構成した第１のねじれ通路構成部と、湾曲通路構成部の他方の端部に接続され、搬送ガイド面が紙葉の搬送方向に沿って漸次ねじれるように構成した第２のねじれ通路構成部」）は、上記のいずれの引用文献にも記載も示唆もされていない。
　特に、引用文献２は、「搬送経路に沿って搬送されるシート材料(4)」を「180°反転させることができる」だけであり（摘記（２ａ）））、この「搬送経路」は、「搬送ガイド面」や「ねじれ通路構成部」等を有する通路として構成されているものではなく、「分岐装置の上流側及び下流側の搬送平面は互いに平行な異なる平面内に位置する」（摘記（２ｂ））ものの、これらの「搬送平面」の高さの関係は不明であり、上述のとおり、引用文献２にも、上記相違点に係る本願発明１の構成は、記載も示唆もされていない。
イ
　そうすると、引用文献２に記載された技術事項を引用発明に適用してみても上記相違点に係る本願発明１の構成に至るものではないから、本願発明１は、引用発明及び引用文献２に記載された技術事項に基いて、当業者が容易に発明をすることができたものとはいえない。
２　本願発明６〜８について
　本願発明６〜８は、本願発明１の発明特定事項を全て含み、さらに限定したものであるから、本願発明１と同様に、引用発明及び引用文献２に記載された技術事項に基いて、当業者が容易に発明をすることができたものとはいえない。
３　本願発明２〜５及び９〜１０について
　本願発明２〜５及び９〜１０は、本願発明１の発明特定事項を全て含み、さらに限定したものであること、摘記（３ａ）及び上記１（２）アを参照すると、本願発明１と同様に、引用発明及び引用文献２ないし３に記載された技術事項に基いて、当業者が容易に発明をすることができたものとはいえない。
４　小括 
　したがって、原査定の理由を維持することはできない。 
第６　むすび
　以上のとおり、原査定の拒絶理由を検討してもその理由によっては、本願を拒絶することはできない。 
　また、他に本願を拒絶すべき理由を発見しない。 
　よって、結論のとおり審決する。